(57)【要約】【課題】種々の物体を線状部材に対して取り付けるために物体と線状部材の間に介在する着脱容易な取付具を提供する。【解決手段】線状部材（２０、１０、１１）に対して着脱可能な取付具（１、１Ａ、１Ｂ）であって、長手方向の一端（２ａ）から他端（２ｂ）に向かって単調に拡大する断面を有しかつ線状部材（２０、１０、１１）を挟むための切り込み（２ｃ、２ｅ）を長手方向に沿って形成された内部材（２）と、長手方向の一端（３ａ）から他端（３ｂ）に向かって単調に拡大する断面を有する嵌合溝（３ｃ）を形成された、略Ｃ字状の断面を有する外部材（３）と、を備え、線状部材（２０、１０、１１）を切り込み（２ｃ、２ｅ）に挟んだ状態にて内部材（２）が外部材（３）の嵌合溝（３ｃ）に挿入され互いに嵌合することにより、外部材（３）が内部材（２）を締め付けて線状部材（２０、１０、１１）を固定する。【選択図】図１
2014143974.tif 000002
【特許請求の範囲】
【請求項１】
線状部材（２０、１０、１１）に対して着脱可能な取付具（１、１Ａ、１Ｂ）であって、
長手方向の一端（２ａ）から他端（２ｂ）に向かって単調に拡大する断面を有しかつ前記線状部材（２０、１０、１１）を挟むための切り込み（２ｃ、２ｅ）を長手方向に沿って形成された内部材（２）と、
長手方向の一端（３ａ）から他端（３ｂ）に向かって単調に拡大する断面を有する嵌合溝（３ｃ）を形成された、略Ｃ字状の断面を有する外部材（３）と、を備え、
前記線状部材（２０、１０、１１）を前記切り込み（２ｃ、２ｅ）に挟んだ状態にて前記内部材（２）が前記外部材（３）の前記嵌合溝（３ｃ）に挿入され互いに嵌合することにより、前記外部材（３）が前記内部材（２）を締め付けて前記線状部材（２０、１０、１１）を固定することを特徴とする
線状部材に対する取付具。
【請求項２】
前記外部材（３）は、前記取付具（１、１Ａ、１Ｂ）を介して前記線状部材（２０、１０、１１）に取り付ける物体（３０、５０、１３）を装着するための装着手段（３ｄ、３ｅ）を有することを特徴とする請求項１に記載の、線状部材に対する取付具。
【請求項３】
前記内部材（２）の材料はゴム弾性を有するプラスチックであり、前記外部材（３）の材料は硬質プラスチックであることを特徴とする請求項１又は２に記載の、線状部材に対する取付具。
【発明の詳細な説明】
【技術分野】
【０００１】
本発明は、例えば竿先や釣糸などの比較的細い棒、紐、糸等の線状部材の途中に物体を容易に着脱可能に取り付けるための取付具に関する。
【背景技術】
【０００２】
釣りの分野においては、例えば、投げ釣り用竿の竿先に夜釣りの魚信を得るための穂先ライトを取り付けたり、竿先から垂れる道糸の途中に集魚灯を取り付けたりする。また、釣り以外の分野においても、比較的細い棒、紐、糸の途中に小型の照明、標識、センサ、音声機器等、多種多様な物体を取り付ける場合がある。加えて、これらの物体が、容易に着脱可能であることが好ましい場合が多い。
【０００３】
なお、本明細書では、竿先のような比較的細い棒、釣糸のような種々の糸、又は種々の紐などを総称して「線状部材」と称することとする。ここでの線状部材には、竿先のようにある程度弾性変形するが一応剛体であるもの、全く変形しない剛体であるもの、糸や紐のように変形自在の柔軟なもののいずれも含まれ、材料の種類も特定しない。
【０００４】
図３及び図４は、釣りの分野における線状部材に対する取付具の従来例を示した図である。
【０００５】
図３は、従来の取付具を用いて竿先に穂先ライトを取り付けた状態を示し、（Ａ）は外観斜視図、（Ｂ）は展開斜視図、（Ｃ）は（Ｂ）のＶ断面図である。図３（Ａ）（Ｂ）に示すように竿２０の竿先に取付具４０が取り付けられ、取付具４０に穂先ライト（ここではケミカルライト）３０を装着している。図３（Ｃ）の断面図に示すように、取付具４０は、竿先を嵌め込むために長手方向に沿って延びる竿収容溝４１と、円筒状の穂先ライト３０を嵌め込むために長手方向に沿って延びるライト収容溝４２とを備えている。所定のバネ弾性を有する材料で作製された取付具４０を若干変形させることにより竿先や穂先ライトを各溝４１、４２内に収容でき、また、収容した竿先や穂先ライトが脱落しない程度に固定できる。また、所定の力を加えることでこれらを溝４１、４２から取り外すことができる。特許文献１には、穂先ライトを半割螺子で竿先に取り付ける取付具が開示されている。
【０００６】
図４（Ａ）（Ｂ）は道糸の途中に集魚灯を取り付ける取付手段を示し、（Ｃ）（Ｄ）はハリスの途中に集魚灯を取り付ける取付手段を示している。道糸の途中に取り付ける場合、図４（Ａ）のように先ず道糸の途中で道糸１０ａと道糸１０ｂに切断し、（Ｂ）のように集魚灯（ここではＬＥＤ灯）５０の両端に設けた糸結び孔５１、５２に道糸１０ａ、１０ｂを結び付ける。また、先端に釣り針１２を付けたハリス１１の途中に取り付ける場合、図４（Ｃ）のようにサルカン７０の下端に結び付けたハリス１１に予め一対の環状の留め具６１、６２を通しておき、（Ｄ）のように円筒状の集魚灯（ここではケミカルライト）５０の両端を留め具６１、６２に押し入れて固定する。
【先行技術文献】
【特許文献】
【０００７】
【特許文献１】登録実用新案第３０５４９６１号公報
【発明の概要】
【発明が解決しようとする課題】
【０００８】
しかしながら、図３に示した取付具の場合、バネ弾性により竿先及び穂先ライトを固定する取付具は、ＡＢＳ樹脂等の比較的硬質のプラスチックであるため、着脱の際に竿先や穂先ライトに無理な力がかかり損傷するおそれがある。また、比較的硬質の材料であるので、取付具と竿先及び穂先ライトとの接触が、面接触ではなく点接触となりがちであり、その結果、衝撃や振動で外れ易くなる。特許文献１の取付具は、螺子による着脱が煩雑である。
【０００９】
また、図４（Ａ）（Ｂ）に示した取付手段の場合、道糸を切断したり結んだりする手間がかかる上、取り外しも容易ではない。また、集魚灯を取り付ける位置も変更できない。さらに、釣り針からの負荷が集魚灯にもかかるので、集魚灯にも強度が要求される。
【００１０】
また、図４（Ｃ）（Ｄ）に示した取付具の場合、ケミカルライトである穂先ライトをハリスとともに留め具に押し込むので、ハリスとケミカルライトは、摩擦により互いに損傷しやすい。また、ハリスをサルカンに付ける前に留め具をハリスに通しておくので手間がかかる。また、既製品の仕掛けに取り付ける際には一旦ハリスを切断して留め具を通す必要がある。留め具は柔軟な材料からなるので、穂先ライトを何度も付け替えていると緩んでくる。
【００１１】
以上の問題点のうちの幾つかは、釣りの分野に限らず、多種多様な物体を取付具や取付手段を用いて線状部材に取り付ける際に生じてくる問題でもある。
【００１２】
よって、本発明は、種々の物体を線状部材に対して取り付けるために物体と線状部材の間に介在する取付具であって、取付け対象である物体及び線状部材を損傷するおそれがなく、安定かつ強固に線状部材に取り付けることができ、着脱が容易で、取付位置を容易に変更でき、繰り返し着脱しても取り付け強度が低下しないものを提供することを目的とする。
【課題を解決するための手段】
【００１３】
上記の課題を解決するために本発明は、以下の構成の穂先ライトを提供する。括弧内の数字は後述する図面中の符号を参考のために付したものであり、本発明を実施例に限定する意図ではない。
【００１４】
本発明の態様は、線状部材（２０、１０、１１）に対して着脱可能な取付具（１、１Ａ、１Ｂ）であって、長手方向の一端（２ａ）から他端（２ｂ）に向かって単調に拡大する断面を有しかつ前記線状部材（２０、１０、１１）を挟むための切り込み（２ｃ、２ｅ）を長手方向に沿って形成された内部材（２）と、長手方向の一端（３ａ）から他端（３ｂ）に向かって単調に拡大する断面を有する嵌合溝（３ｃ）を形成された、略Ｃ字状の断面を有する外部材（３）と、を備え、前記線状部材（２０、１０、１１）を前記切り込み（２ｃ、２ｅ）に挟んだ状態にて前記内部材（２）が前記外部材（３）の前記嵌合溝（３ｃ）に挿入され互いに嵌合することにより、前記外部材（３）が前記内部材（２）を締め付けて前記線状部材（２０、１０、１１）を固定する。
【００１５】
上記態様において、前記外部材（３）は、前記取付具（１、１Ａ、１Ｂ）を介して前記線状部材（２０、１０、１１）に取り付ける物体（３０、５０、１３）を装着するための装着手段（３ｄ、３ｅ）を有することが好適である。
【００１６】
上記態様において、前記内部材（２）の材料はゴム弾性を有するプラスチックであり、前記外部材（３）の材料は硬質プラスチックであることが好適である。
【発明の効果】
【００１７】
本発明の取付具は、種々の物体を線状部材に対して取り付けるために物体と線状部材の間に介在するものである。本発明の取付具は、内部材と外部材の２つの分離可能な部材から構成されており、好適にはゴム弾性を有する内部材が線状部材に対して着脱することによって線状部材を損傷しない。
【００１８】
内部材は長手方向の一端から他端に向かって単調に拡大する断面を有し、外部材は長手方向の一端から他端に向かって単調に拡大する断面を有する溝を形成されているので、内部材を外部材の溝内に挿入して互いに嵌合させることにより、外部材が内部材を締め付けることができる。これにより、内部材の切り込みに挟んだ線状部材を押圧して確実に固定することができる。
【００１９】
さらに、押圧の際に、好適にはゴム弾性を有する内部材は線状部材に倣って変形するため面接触となり、衝撃や振動での外れやすさが解消される。
【００２０】
内部材と外部材を長手方向にスライドさせることで容易に嵌合させ、分離させることができるので、着脱が容易であり、かつ、取り付け位置を容易に変更できる。
【図面の簡単な説明】
【００２１】
【図１】図１は、本発明の一実施例における取付具の構成を示す、（Ａ）は外観斜視図、（Ｂ）は展開斜視図、（Ｃ）は（Ｂ）のＩ断面図（竿と道糸を省略）、（Ｄ）は（Ｂ）のII断面図（竿と道糸を省略）である。
【図２】図２（Ａ）（Ｂ）は、本発明の別の実施例における取付具の構成を示し、（Ｃ）（Ｄ）はさらに別の実施例の取付具の構成を示す図である。
【図３】図３は、従来の取付具を用いて竿先に穂先ライトを取り付けた状態を示し、（Ａ）は外観斜視図、（Ｂ）は展開斜視図、（Ｃ）は（Ｂ）のＶ断面図である。
【図４】図４（Ａ）（Ｂ）は道糸の途中に集魚灯を取り付ける取付手段を示し、（Ｃ）（Ｄ）はハリスの途中に集魚灯を取り付ける取付手段を示している。
【発明を実施するための形態】
【００２２】
以下、実施例を示した図面を参照しつつ本発明の実施形態を説明する。本発明の取付具は、多種多様な物体を多種多様な線状部材に取り付けるために、物体と線状部材との間の介在して線状部材に取り付けられるものである。物体は取付具に対して何らかの装着手段（物体と取付具が一体の場合も含む）により取り付けられている。物体は取付具に対して着脱可能でもよく、また、着脱不能に固定されていてもよい。
【００２３】
以下の説明では、本発明の取付具を釣り分野に適用した例により説明するが、釣り分野以外の分野において物体を線状部材に取り付ける場合にも同様に適用可能である。釣り分野における例では、穂先ライト又は集魚灯が物体に相当し、竿、道糸又はハリスが線状部材に相当する。
【００２４】
図１は、本発明の一実施例における取付具の構成を示す、（Ａ）は外観斜視図、（Ｂ）は展開斜視図、（Ｃ）は（Ｂ）のＩ断面図（竿と道糸を省略）、（Ｄ）は（Ｂ）のII断面図（竿と道糸を省略）である。
【００２５】
図１（Ａ）（Ｂ）に示すように、竿２０の竿先に取付具１が取り付けられ、取付具１に穂先ライト（ここではケミカルライト）３０を装着している。取付具１は、互いに分離した内部材２と外部材３の２つの部材から構成されている。内部材２及び外部材３の双方とも、一方向（以下「長手方向」と称する）に長い本体を有し、取付具１が竿に取り付けられるときは、内部材２及び外部材３の長手方向が竿に沿って延在するように配置される。
【００２６】
図１（Ｂ）に示すように、内部材２は、長手方向の一端２ａから他端２ｂに向かって断面が単調に拡大している。この例の内部材２の断面形状は、図１（Ｄ）に示すように長方形である。内部材２の断面の長方形は、横辺の長さは一定であるが、縦辺の長さが一端２ａから他端２ｂに向かって単調に（この例では直線的に）拡大している。
【００２７】
さらに、内部材２の側面には、長手方向に沿って所定の幅を持った溝状の切り込み２ｃが形成されている。この溝状の切り込み２ｃは、側面から一定の深さを有する。この切り込み２ｃは、線状部材を挟むためのものであり、この場合は竿２０を挟み込む。竿２０のように所定の太さを有する線状部材を挟む場合には、図示のように、溝状の切り込み２ｃの開口部２ｃ１の幅を狭くし、奥部２ｃ２の幅を広くして線状部材を安定に収容することが好ましい。内部材２は、切り込み２ｃに線状部材を挟む際に変形可能であるような材料から作製する。内部材２の材料は、例えば、ゴム弾性をもつ柔軟なプラスチック（種々のエラストマー）が好ましい。
【００２８】
一方、外部材３は、図１（Ｃ）に示すように、本体の断面が略Ｃ字状であり、長手方向の一端３ａから他端３ｂに向かって断面が単調に拡大する嵌合溝３ｃを形成されている。ここで「略Ｃ字状」とは、中空を囲む環状であるが閉じた環ではなく一部に開口がありかつ開口の両端の間が狭まっている（少なくとも一方の端部に返しがある）形状をいい、円形の環に限らず多角形又は楕円形等の環も含む。すなわち嵌合溝３ｃは、外部材３の一方の側面に開口している。この例では、外部材３の嵌合溝３ｃの断面形状は内部材２の断面と同じく長方形である。嵌合溝３ｃの断面の長方形は、横辺の長さは一定であるが、縦辺の長さが一端３ａから他端３ｂに向かって単調に（この例では直線的に）拡大している。外部材３の嵌合溝３ｃの断面が拡大していく傾斜は、内部材２の断面が拡大していく傾斜と一致している。外部材３の材料は、硬質のプラスチック（ＡＢＳ樹脂、ポリアセタール等のエンジニアリングプラスチック）が好ましい。
【００２９】
分離している外部材３と内部材２を長手方向において互いに近づけ、外部材３の他端３ｂ側から、内部材２の一端２ａ側を挿入し、外部材３を内部材２に被せるように両者を重ねることができ、最終的に図１（Ａ）のように両者が嵌合した状態となる。外部材３は、本体の断面が開口付近に返しを有し（略Ｃ字状形状による）かつ硬質材料からなるので、内部材２が外部材３の嵌合溝３ｃの開口から脱落することはない。図１（Ａ）の状態では、外部材３の嵌合溝３ｃの上下内面と、内部材２の上下外面は、面接触にて当接している。
【００３０】
なお、内部材２における切り込み２ｃを形成した側面が、外部材３の嵌合溝３ｃにおける開口とは反対側の内面に向くようにする。これにより、竿２０が内部材２の切り込み２ｃから脱落することを防止できる。
【００３１】
取付具１の竿２０への取り付けの手順は次の通りである。先ず、内部材２と外部材３を分離した状態で、竿２０の所定の位置において内部材２の切り込み２ｃ内に竿２０を収容することにより、内部材２を竿２０に取り付ける。次に、内部材２の一端２ａの前方に、外部材３の他端３ｂを配置する。このとき、外部材３の嵌合溝３ｃの空間内に竿２０が延在するように配置する（図１（Ｂ）参照）。その後、外部材３を内部材２に被せるように外部材３を長手方向にスライドさせる。このとき、一方の手で内部材２の他端２ｂを支持し、他方の手で外部材３を動かすようにする。外部材３が内部材２に当たったとき、さらに若干力を加えて外部材３を内部材２に向かって押す。これにより、硬質の外部材３が柔軟な内部材２を若干押し潰した状態となり、内部材２を締め付ける力が働く。この結果、内部材２の切り込み２ｃに挟まれた竿２０は確実に固定される。さらに、押圧の際に、ゴム弾性を有する内部材２は、竿２０に倣って変形するため確実に面接触となり衝撃や振動による外れやすさも解消される。
【００３２】
外部材３の外周上には、穂先ライト３０を装着するためのライト収容溝３ｄが形成されている。外部材３により内部材２を締め付けて取付具１を竿２０に取り付けた後に、外部材３のライト収容溝３ｄに穂先ライト３０を装着する。
【００３３】
図１（Ａ）に示した向きで取付具１を竿２０に取り付けた場合、投げ釣りにおいて仕掛けを投げる際、外部材３及び穂先ライト３０にかかる遠心力は、外部材３が内部材２をさらに締め付ける方向に働くので、遠投時の振動で取付具１が竿２０から外れることはない。
【００３４】
取付具１を取り外す手順は次の通りである。先ず、穂先ライト３０を外部材３のライト収容溝３ｄから取り外す。次に、外部材３を長手方向にスライドさせて内部材２から分離する。最後に、内部材２の切り込み２ｃから竿２０を取り外す。
【００３５】
なお、図１の実施例では、内部材２の断面形状及び外部材３の嵌合溝３ｃの断面形状は長方形であり、長方形の縦辺が長手方向において単調に拡大するものであったが、この形状に限られない。内部材２と外部材３の嵌合溝３ｃの各々の断面形状が長手方向において単調に拡大し、かつ、内部材２の外面と外部材３の嵌合溝３ｃの内面が嵌合可能な形状であればよい。例えば、断面は、長方形以外の多角形、円形、楕円形などでもよい。但し、外部材３が内部材２に対して軸回りで回転しない形状として多角形や楕円形が円形よりも好ましい。
【００３６】
図２（Ａ）（Ｂ）は、本発明の別の実施例における取付具の構成を示し、（Ｃ）（Ｄ）はさらに別の実施例の取付具の構成を示す図である。
【００３７】
図２（Ａ）は、ハリス１１の途中に取付具１Ａを取り付け、取付具１Ａに集魚灯５０を装着した状態を示し、（Ｂ）は（Ａ）のIII断面展開図（ハリスを省略）である。取付具１Ａの外部材３には、集魚灯５０としてのケミカルライトを装着している。取付具１Ａにおいて、外部材３は図１に示した取付具１のものと同じであるが、内部材２の切り込み２ｅの形状が異なっている。取付具１Ａでは、内部材２の切り込み２ｅが、溝状ではなく所定の深さを有する１本の直線状となっている。このような切り込み２ｅは、竿よりもはるかに細くかつ柔軟に変形するハリスのような糸状の線状部材を挟むのに適している。なお、取付具１Ａは、ハリス１１ではなく、道糸１０の途中に取り付けてもよい。
【００３８】
図２（Ｃ）は、ハリス１１の途中に取付具１Ｂを取り付け、取付具１Ｂに別のハリス１３を装着した状態を示し、（Ｄ）は（Ｃ）のIV断面展開図（ハリスを省略）である。取付具１Ｂにおいて、内部材２は図２（Ａ）の取付具１Ａのものと同じであるが、外部材３の形状が異なっている。取付具１Ｂでは、外部材３の外面上にハリス１３を結びつけるための糸結び孔３ｅが形成されている。
【００３９】
外部材３には、多種多様な物体を装着するための手段を形成することができる。また、外部材３が、取り付け対象である物体の一部として形成されていてもよい。
【符号の説明】
【００４０】
１、１Ａ、１Ｂ  取付具
２  内部材
２ａ  一端
２ｂ  他端
２ｃ、２ｅ  切り込み
２ｃ１  開口部
２ｃ２  奥部
３  外部材
３ａ  一端
３ｂ  他端
３ｃ  嵌合溝
３ｄ  ライト収容溝
３ｅ  ハリス結び孔
１０、１０ａ、１０ｂ  道糸
１１、１３  ハリス
１２  釣り針
２０  竿
３０  穂先ライト
４０  取付具
４１  竿収容溝
４２  ライト収容溝
５０  集魚灯
５１、５２  糸結び孔
６１、６２  集魚灯留め具
７０  サルカン
【図１】
2014143974.tif 000003
【図２】
2014143974.tif 000004
【図３】
2014143974.tif 000005
【図４】
2014143974.tif 000006